(57)【要約】【課題】本発明は、装置を傾斜させても、画面端部の視野角を保つことができ、良好な視認性を維持することができる携帯表示装置を提供することを課題とする。【解決手段】傾斜角検出部６によって携帯表示装置１の傾きを検出して姿勢信号を出力し、表示制御部１２によって姿勢信号に基づいて算出される予め定められた基準面からの携帯表示装置１の回転角度に基づいて、表示部３における操作画面が表示される表示エリアの形状を補正させる。また、表示制御部１２によって基準面に携帯表示装置１が保持されている場合の操作画面の視野角が維持されるように表示エリアの形状を補正させる。【選択図】        図２
2007114242.tif 000002
【特許請求の範囲】
【請求項１】
操作画面が表示される表示手段を有する携帯表示装置であって、
装置の傾きを検出して姿勢信号を出力する傾斜角検出手段と、
前記姿勢信号に基づいて算出される予め定められた基準面からの装置の回転角度に基づいて、前記表示手段における前記操作画面が表示される表示エリアの形状を補正する表示制御手段とを具備することを特徴とする携帯表示装置。
【請求項２】
前記表示制御手段は、前記基準面に装置が保持されている場合の前記操作画面の視野角が維持されるように前記表示エリアの形状を補正させることを特徴とする請求項１記載の携帯表示装置。
【請求項３】
前記表示制御手段は、装置が前記基準面から前記表示手段における表示面の縦方向のセンターラインを中心に回転されると、視点から遠ざかった上辺もしくは下辺が長く、近づいた下辺もしくは上辺が短い台形に前記表示エリアの形状を補正させることを特徴とする請求項１又は２記載の携帯表示装置。
【請求項４】
前記表示制御手段は、装置が前記基準面から前記表示手段における表示面の幅方向のセンターラインを中心に回転されると、視点から遠ざかった右辺もしくは左辺が長く、近づいた左辺もしくは右辺が短い台形に前記表示エリアの形状を補正させることを特徴とする請求項１乃至３のいずれかに記載の携帯表示装置。
【請求項５】
前記表示制御手段は、前記表示手段における表示面の縦方向のセンターラインを中心とする装置の前記基準面からのピッチ方向回転角と、前記表示手段における表示面の幅方向のセンターラインを中心とする装置の前記基準面からのロール方向回転角とを比較し、前記ピッチ方向回転角が前記ロール方向回転角よりも大きい場合には、視点から遠ざかった上辺もしくは下辺が長く、近づいた下辺もしくは上辺が短い台形に前記表示エリアの形状を補正させ、前記ロール方向回転角が前記ピッチ方向回転角よりも大きい場合には、視点から遠ざかった右辺もしくは左辺が長く、近づいた左辺もしくは右辺が短い台形に前記表示エリアの形状を補正させることを特徴とする請求項１乃至４のいずれかに記載の携帯表示装置。
【発明の詳細な説明】
【技術分野】
【０００１】
本発明は、表示手段を有する携帯表示装置に関し、特に装置の傾斜に応じて各種操作を行う携帯表示装置に関する。
【背景技術】
【０００２】
記録媒体（ＨＤＤ、ＣＤ、ＭＤ等）に記録された楽曲データを再生する携帯端末装置や、各種電子機器を遠隔操作するためのリモコン装置は、装置の多機能化に伴って様々な操作に行う必要から、装置に設けられたボタンでは対応することができず、ディスプレイを用いたオンスクリーン操作が採用されている。オンスクリーン操作では、up/downキー、十字キー、ジョクシャトル等により、ディスプレイに表示されたメニューの中からカーソルを移動させて操作を選択するのが一般的である。
【０００３】
オンスクリーン操作では、up/downキー、十字キー、ジョクシャトル等により、ディスプレイに表示されたメニューの中からカーソルを移動させて操作を選択するのが一般的であるが、高齢者や不慣れな使用者には、up/downキー、十字キー、ジョクシャトル等の操作をスムーズに行うことが難しいため、傾斜センサによって検出した装置の姿勢に応じて画面をスクロールする技術が提案されている（例えば、特許文献１参照）。
【０００４】
しかしながら、従来技術では、装置の傾斜によって画面をスクロールさせているため、視点に対する画面の角度が傾斜によって変化し、傾斜角度によっては、画面端部の視野角が狭くなって見づらくなり、視認性が低下してしまうという問題点があった。
【特許文献１】特開２００２−２６８６２２号公報
【発明の開示】
【発明が解決しようとする課題】
【０００５】
本発明は斯かる問題点に鑑みてなされたものであり、その目的とするところは、装置を傾斜させても、画面端部の視野角を保つことができ、良好な視認性を維持することができる携帯表示装置を提供する点にある。
【課題を解決するための手段】
【０００６】
本発明は上記課題を解決すべく、以下に掲げる構成とした。
本発明の携帯表示装置は、操作画面が表示される表示手段を有する携帯表示装置であって、装置の傾きを検出して姿勢信号を出力する傾斜角検出手段と、前記姿勢信号に基づいて算出される予め定められた基準面からの装置の回転角度に基づいて、前記表示手段における前記操作画面が表示される表示エリアの形状を補正する表示制御手段とを具備することを特徴とする。
【０００７】
さらに、本発明の携帯表示装置は、前記表示制御手段は、前記基準面に装置が保持されている場合の前記操作画面の視野角が維持されるように前記表示エリアの形状を補正させることを特徴とする。
【０００８】
さらに、本発明の携帯表示装置は、前記表示制御手段は、装置が前記基準面から前記表示手段における表示面の縦方向のセンターラインを中心に回転されると、視点から遠ざかった上辺もしくは下辺が長く、近づいた下辺もしくは上辺が短い台形に前記表示エリアの形状を補正させることを特徴とする。
【０００９】
さらに、本発明の携帯表示装置は、前記表示制御手段は、装置が前記基準面から前記表示手段における表示面の幅方向のセンターラインを中心に回転されると、視点から遠ざかった右辺もしくは左辺が長く、近づいた左辺もしくは右辺が短い台形に前記表示エリアの形状を補正させることを特徴とする。
【００１０】
さらに、本発明の携帯表示装置は、前記表示制御手段は、前記表示手段における表示面の縦方向のセンターラインを中心とする装置の前記基準面からのピッチ方向回転角と、前記表示手段における表示面の幅方向のセンターラインを中心とする装置の前記基準面からのロール方向回転角とを比較し、前記ピッチ方向回転角が前記ロール方向回転角よりも大きい場合には、視点から遠ざかった上辺もしくは下辺が長く、近づいた下辺もしくは上辺が短い台形に前記表示エリアの形状を補正させ、前記ロール方向回転角が前記ピッチ方向回転角よりも大きい場合には、視点から遠ざかった右辺もしくは左辺が長く、近づいた左辺もしくは右辺が短い台形に前記表示エリアの形状を補正させることを特徴とする。
【発明の効果】
【００１１】
本発明の携帯表示装置は、装置の傾きを検出して姿勢信号を出力し、姿勢信号に基づいて算出される予め定められた基準面からの装置の回転角度に基づいて、表示手段における操作画面が表示される表示エリアの形状を補正するように構成することにより、姿勢信号に基づいて表示エリアの形状を画面端部の視野角を保つように補正することができるため、装置を傾斜させても、画面端部の視野角を保つことができ、良好な視認性を維持することができるという効果を奏する。
【００１２】
さらに、本発明の携帯表示装置は、基準面に装置が保持されている場合の操作画面の視野角が維持されるように表示エリアの形状を補正するように構成することにより、装置を傾斜させても、あたかも基準面に装置が保持されている状態で操作画面が表示されているように見せることができるため、画面端部の視野角を保つことができ、良好な視認性を維持することができるという効果を奏する。
【発明を実施するための最良の形態】
【００１３】
以下、本発明の実施の形態を図面に基づいて詳細に説明する。
【００１４】
図１は、本発明に係る携帯表示装置の実施の形態の外観構成を示す斜視図であり、図２は、図１に示す携帯表示装置の構成を示すブロック図であり、図３は、図１に示す携帯表示装置の使用状態を説明するための説明図であり、図４は、図２に示す傾斜角検出部の出力例を示す図であり、図５は、図２に示す座標変換部における姿勢ベクトルの算出方法を説明する説明図であり、図６は、図２に示すセル情報記憶部に記憶されているセル情報例を示す図であり、図７は、図２に示す変換テーブル記憶部に記憶されている変換テーブル例を示す図であり、図８は、図２に示す表示部における表示エリア例を示す図であり、図９は、図２に示す画面記憶部に記憶されている楽曲マップ画面例を示す図であり、図１０は、図２に示す画面記憶部に記憶されているキー配列画面例を示す図であり、図１１は、図２に示す歪み記憶部に記憶されている歪み量情報例を示す図であり。図１２乃至図１４は、図２に示す歪み記憶部に記憶されている歪み情報の算出方法を説明するための説明図である。
【００１５】
本実施の形態の携帯表示装置１は、記録媒体であるＨＤＤに記録された楽曲データを再生するＨＤＤプレーヤ等の携帯端末装置であり、図１を参照すると、全体が略矩形をなす筐体２の主面部に表示部３が設けられていると共に、筐体２の右側面部に操作キー４が設けられ、筐体２内には、図２を参照すると、傾斜角検出部６と、ＡＤ変換部７と、座標変換部８と、セル情報記憶部９と、変換テーブル記憶部１０と、画面記憶部１１と、表示制御部１２と、カーソル制御部１３と、中央制御部１４と、データベース１５と、音声出力部１６とを備えている。
【００１６】
表示部３は、液晶ディスプレイ（ＬＣＤ）等の表示手段であり、再生する楽曲データのタイトル名、アーティスト名等の書誌データや再生時間等の各種案内情報や、操作の選択、音量の調整、楽曲データの検索、楽曲データの再生指示等の各種指示キーや、楽曲データを検索するための楽曲マップがレイアウトされた各種操作画面が表示される。
【００１７】
操作キー４は、電源の投入および切断を指示する電源キー、ユーザが選択した機能（指示キー）の実行を指示する実行キー、ユーザが選択した楽曲データの再生を指示する実行キーとして機能するものであり、操作キー４は、筐体２の右側面部の上部側、すなわち、図３に示すように、表示部３が設けられている主面部を上側にして携帯表示装置１を右手で把持した状態で、親指で操作できる位置に配置されている。
【００１８】
傾斜角検出部６は、例えば、静電容量型、ピエゾ抵抗型、熱分布検知型等の加速度センサを用いた傾斜センサであり、図１を参照すると、主面部、すなわち表示部３の表示面と平行で互いに直交するＸ軸およびＹ軸と、主面部と垂直なＺ軸の傾きに応じた姿勢信号をＡＤ変換部７に出力する。なお、本実施の形態では、Ｘ軸は、表示部３の上下方向に、Ｙ軸は、表示部３の左右方向にそれぞれ設定されている。
【００１９】
傾斜角検出部６として、固定されたビーム（梁）と可動するビーム（梁）とをそれぞれコンデンサの電極板と見立てて、ビーム間の距離の変動を静電容量値としてＸ軸、Ｙ軸、Ｚ軸（図１に示すように主面部と垂直な軸をＺ軸とする）の傾斜を検出する静電容量型３軸加速度センサを用いた場合には、図４に示すように、Ｘ軸、Ｙ軸、Ｚ軸の傾斜角に応じた出力電圧が姿勢信号として得られる。
【００２０】
ＡＤ変換部７は、傾斜角検出部６から出力される姿勢信号をデジタル信号に変換して座標変換部８に出力し、座標変換部８は、入力された姿勢信号に基づいてＸ軸およびＹ軸をそれぞれ中心とする携帯表示装置１のそれぞれの回転角θｘ、θｙをそれぞれ算出し、算出した回転角θｘ、θｙを表示制御部１２に出力する。回転角θｘは、Ｙ軸およびＺ軸の傾斜角から、回転角θｙは、Ｘ軸およびＺ軸の傾斜角からそれぞれ求めることができる。以下、Ｘ軸を中心とする携帯表示装置１の回転をピッチ方向の回転と称し、Ｙ軸を中心とする携帯表示装置１の回転をロール方向の回転と称する。また、筐体２の主面部が重力方向に直交する場合の回転角θｘ、θｙを０度とし、表示部３の上方を下側に移動させるピッチ方向の回転をプラスとし、表示部３の下方を下側に移動させるピッチ方向の回転をマイナスとし、表示部３の右方を下側に移動させるロール方向の回転をプラスとし、表示部の左方を下側に移動させるロール方向の回転をマイナスとする。また、座標変換部８は、算出した回転角θｘ、θｙを合成することで、図５に示すように、携帯表示装置１がどの向きに傾けられたかを示す角度θａと、携帯表示装置１の傾斜角の大きさを示す長さｒとで表される姿勢ベクトルＲを算出してカーソル制御部１３に出力する。
【００２１】
セル情報記憶部９は、複数のセル（領域）からなるセル情報として記憶している記憶手段である。セル情報は、ＡＤ変換部７で算出される姿勢ベクトルＲの長さｒとに基づいて分割された複数のセルからなり、姿勢ベクトルＲに基づいて１つのセルがカレントセルとして特定できるように構成されている。なお、セル情報におけるセルの個数は、任意であり、図６には、長さｒに応じて分割された３つのセルＳｎ（ｎ＝０，１，２）からなるセル情報が示されている。
【００２２】
変換テーブル記憶部１０は、セル情報記憶部９に記憶されているセル情報の各セルと、キー選択カーソルおよび楽曲選択カーソルの移動量および速度とを関連づける変換テーブルを記憶している記憶手段であり、図７は、図６に示すセル情報の３つのセルＳｎに対して移動量Ｌｎ（ｎ＝０，１，２）および速度Ａｎ（ｎ＝０，１，２）がそれぞれ関連づけられている。なお、セル情報の最も内側のセルＳ０に関連づけられた移動量Ｌ０および速度Ａ０は、「０」であり、携帯表示装置１が略水平に保たれ、姿勢ベクトルＲによってセル情報の最も内側のセルＳ０がカレントセルとして特定された場合には、キー選択カーソルおよび楽曲選択カーソルの移動が行われないように制御される。さらに、姿勢ベクトルＲが長い程、すなわち装置の傾きが大きいほど、移動量が大きく、速度が速くなるように設定されており、移動量Ｌｎは、Ｌ０＜Ｌ１＜Ｌ２の関係となり、速度Ａｎは、Ａ０＜Ａ１＜Ａ２の関係となる。なお、移動量Ｌｎは、単位時間当たりのキー選択カーソルおよび楽曲選択カーソルの移動量を示すものであり、速度Ａｎと同義の情報である。
【００２３】
画面記憶部１１は、各種案内情報が表示される案内情報表示領域や、異なる操作が割り当てられた複数の指示キーや、楽曲データを検索するための楽曲マップがレイアウトされた複数の操作画面を記憶している記憶手段であり、楽曲データの再生に関連する操作を行う画面、音量の調整を行う画面、楽曲データの検索を行う画面等が記憶されている。なお、楽曲マップがレイアウトされた画面としては、図９に示すように、データベース１５に記憶されている楽曲データが２つの評価項目（例えば、「穏やか−激しい」、「明るい−暗い」）に基づいて平面上に展開される楽曲マップ３１がレイアウトされている楽曲マップ画面３２が画面記憶部１１に記憶されているものとする。また、複数の指示キーがレイアウトされた画面としては、図１０に示すように、異なる操作が割り当てられた複数の指示キーＫｍ（ｍ＝１〜２５）が配列されているキー配列画面３４が画面記憶部１１に記憶されているものとする。なお、画面記憶部１１に記憶されている各種画面の大きさは、表示部３の表示領域と同一である必要はなく、画面記憶部１１に記憶されている各種画面の方が表示部３の表示領域よりも大きい場合には、表示部３に部分的に表示され、スクロールによって表示エリアが移動される。
【００２４】
表示制御部１２は、中央制御部１４の制御に基づいて画面記憶部１１に記憶されている各種操作画面のいずれかを読み出して表示部３に表示すると共に、表示部３に表示した操作画面を特定するための操作画面特定情報をカーソル制御部１３に通知する。なお、表示制御部１２は、表示部３に楽曲マップ画面３２を表示する場合には、データベース１５に記憶されている楽曲データの評価点に基づいて、楽曲マップ画面３２にレイアウトされている楽曲マップ３１に各楽曲データをポイント等の図形として展開する。
【００２５】
また、表示制御部１２は、ＡＤ変換部７から入力された回転角θｘ、θｙに基づいて歪み量記憶部１７を参照することで、表示部３における表示エリア３０を決定し、決定した表示エリア３０に操作画面を必要に応じて歪ませて表示する。図８（ａ）には、携帯表示装置１が基準面（回転角θｘｓ、θｙｓ）に保持されている場合の表示部３における表示エリア３０が示されており、表示部３がＬ×Ｗだとすると、表示エリア３０は、ｌ（ｌ＜Ｌ）×ｗ（ｗ＜Ｗ）に設定されている。また、図８（ｂ）には、携帯表示装置１が基準面（回転角θｘｓ、θｙｓ）からロール方向にプラス回転させた場合の表示部３における表示エリア３０が示されており、表示エリア３０の上辺ｗ’がｗよりも長く、表示エリア３０の上辺がｗよりも短い台形に補正されている。また、図８（ｃ）には、携帯表示装置１が基準面（回転角θｘｓ、θｙｓ）からピット方向にプラス回転させた場合の表示部３における表示エリア３０が示されており、表示エリア３０の右辺ｌ’がｌよりも長く、表示エリア３０の左辺がｌよりも短い台形に補正されている。
【００２６】
カーソル制御部１３は、表示部３に表示された楽曲マップ画面３２上の領域を示す楽曲選択カーソル３３の移動と、表示部３に表示されたキー配列画面３４に配列された複数の指示キーＫｍのいずれかを選択するキー選択カーソル３５の移動とを制御する手段である。カーソル制御部１３は、セル情報記憶部９に記憶されているセル情報に基づいて、座標変換部８から入力される姿勢ベクトルＲに対応するセル（以下、カレントセルと称す）を特定すると共に、変換テーブルを用いて特定したカレントセルに関連づけられた移動量および速度を特定し、姿勢ベクトルＲの方向に特定した移動量および速度で楽曲選択カーソル３３およびキー選択カーソル３５を移動させる。また、カーソル制御部１３は、操作キー４が押下されると、楽曲マップ画面３２においては、楽曲選択カーソル３３内に含まれる楽曲データを中央制御部１４に通知すると共に、キー配列画面３４においては、キー選択カーソル３５が位置する指示キーＫｍに割り当てられた操作を中央制御部１４に通知する。なお、図１０には、キー選択カーソル３５によって指示キーＫ２３が選択されている状態が示されており、キー選択カーソル３５がポイントとして表示されているが、キー選択カーソル３５は、表示しないようにしても良い。また、カーソルとは、情報、領域、指示キー等の選択対象を選択した場合に、選択した選択対象の色を変えたり、反転処理をしたり、アンダーラインを表示したりして選択されていることを示すものであり、カーソルが移動されることにより、カーソルが位置する選択対象が選択される。
【００２７】
中央制御部１４は、音声出力部１６を制御することで、カーソル制御部１３から通知された楽曲データの再生を実行すると共に、カーソル制御部１３から通知される操作を、表示制御部１２および音声出力部１６を制御することで実行する。また、中央制御部１４は、電源切断状態で操作キー４が押下されると電源の投入制御を、電源投入状態で操作キー４が所定時間以上押下されると電源の切断制御を行う。なお、電源の切断制御は、操作画面のいずれかに電源切断操作が割り当てられた指示キーを設け、当該指示キーにカーソルを移動させた状態で操作キー４を押下することで実行されるようにしても良い。
【００２８】
データベース１５は、記録媒体であるＨＤＤであり、図示しない楽曲データ入力端子から入力された楽曲データが記録されていると共に、各楽曲データのタイトル名、アーティスト名等の書誌データと、少なくとも２つの評価項目について楽曲データをそれぞれ評価した評価点とが記録されている。
【００２９】
音声出力部１６は、中央制御部１４からの指示に基づいて、データベース１５に記録されている楽曲データを再生するオーディオプレーヤであり、図示しない音声出力端子からオーディオ信号を図示しないヘッドフォン等の音声出力装置に出力する。
【００３０】
歪み量記憶部１７は、図１１（ａ）に示す、携帯表示装置１の基準面（回転角θｘｓ、θｙｓ）からのロール方向の回転角θｘ−ｘｓと表示エリア３０の上辺の長さｗ’とが対応づけられた携帯表示装置１がロール方向に回転された場合に用いられるピッチ方向回転用歪み量情報と、図１１（ｂ）に示す、携帯表示装置１の基準面（回転角θｘｓ、θｙｓ）からのピッチ方向の回転θｙ−ｙｓと表示エリア３０の右辺の長さｌ’とが対応づけられた携帯表示装置１がピッチ方向に回転された場合に用いられるロール方向回転用歪み量情報とが記憶されている。なお、図１１に示すピッチ方向回転用歪み量情報例およびロール方向回転用歪み量情報例では、基準面（回転角θｘｓ、θｙｓ）からの回転角１０°毎に表示エリア３０の上辺の長さｗ’および右辺の長さｌ’が設定されているが、さらに細かい回転角毎に表示エリア３０の上辺の長さｗ’および右辺の長さｌ’を設定するようにしても良い。
【００３１】
図１１（ａ）に示すピッチ方向回転用歪み量情報は、携帯表示装置１が基準面（回転角θｘｓ、θｙｓ）に保持されている場合の表示部３における表示エリア３０の縦方向の長さ（ｌ＝１５ｃｍ）と、横方向の長さ（ｗ＝１５ｃｍ）と、想定される表示部３から視点までの距離（ｄ＝４０ｃｍ）とから算出されている。以下、ピッチ方向回転用歪み量情報の算出方法について説明する。
【００３２】
図１２には、携帯表示装置１が基準面（回転角θｘｓ、θｙｓ）に保持されている場合の視点との位置関係が示されており、図１２（ａ）に示すように、視点から携帯表示装置１の表示エリア３０の中央Ｃまでの距離をｄとし、視点から携帯表示装置１の表示エリア３０の上辺ｕまでの距離をｆとすると、視点から携帯表示装置１までの距離が表示エリア３０のサイズ（ｌ×ｗ）に対して十分大きいとき、ｆ≒ｄとみなすことができる。従って、図１２（ｂ）に示すように、視点から表示エリア３０の上辺ｕまでの距離ｄにおいて、表示エリア３０の上辺ｕは、視野角αに広がって見える。
【００３３】
図１３には、携帯表示装置１が基準面（回転角θｘｓ、θｙｓ）からロール方向に回転された状態が示されており、図１３（ａ）に示すように、視点から携帯表示装置１の表示エリア３０の上辺ｕまでの距離がｆ＋Δｆに伸びている。ここで、視点から携帯表示装置１までの距離が表示エリア３０のサイズ（ｌ×ｗ）に対して十分大きいとき、ｆ＋Δｆと、視点から携帯表示装置１の表示エリア３０の中央Ｃまでの距離ｄにロール方向の回転によって表示エリア３０の上辺ｕがｄ方向へ移動した距離Δｄを加算したｄ＋Δｄとは等しいとみなすことができる。従って、図１３（ｂ）に示すように、視点から表示エリア３０の上辺ｕまでの距離ｄ＋Δｄにおいて、表示エリア３０の上辺ｕは、視野角β（β＜α）に広がって見え、表示エリア３０の上辺ｕが視覚的に短くなり、その付近の表示が見づらくなる。
【００３４】
そこで、本実施の形態では、図１４（ａ）に示すように、携帯表示装置１が基準面（回転角θｘｓ、θｙｓ）からロール方向に回転された場合にも、図１４（ｂ）に示すように、表示エリア３０の上辺ｕが、携帯表示装置１が基準面（回転角θｘｓ、θｙｓ）に保持されている場合と同じ視野角αに広がって見えるように、すなわち、視点から表示エリア３０の上辺ｕまでの距離ｄ＋Δｄにおいて、表示エリア３０の上辺ｕが視野角αに広がって見えるように表示エリア３０の上辺ｕの長さｗを補正する。基準面（回転角θｘｓ、θｙｓ）からロール方向に回転角θｘ−ｘｓ傾けた場合に、上述の条件を満たす表示エリア３０の上辺ｕの長さｗ’は、次式で表すことができ、携帯表示装置１が基準面（回転角θｘｓ、θｙｓ）に保持されている場合の表示エリア３０の縦方向の長さ（ｌ＝１５ｃｍ）と、横方向の長さ（ｗ＝１５ｃｍ）と、想定される表示部３から視点までの距離（ｄ＝４０ｃｍ）と、携帯表示装置１の基準面（回転角θｘｓ、θｙｓ）からの回転角θｘ−ｘｓとから算出される。
【００３５】
【数１】
2007114242.tif 000003
【００３６】
ここで、携帯表示装置１が基準面（回転角θｘｓ、θｙｓ）に保持されている場合の表示部３における表示エリア３０の縦方向の長さ（ｌ＝１５ｃｍ）と、横方向の長さ（ｗ＝１５ｃｍ）と、想定される表示部３から視点までの距離（ｄ＝４０ｃｍ）とは、固定値であるため、回転角θｘ−ｘｓを変数として上辺ｕの長さｗ’が算出される。
【００３７】
以上のようにピッチ方向回転用歪み量情報を算出することができ、ロール方向回転用歪み量情報についても表示エリア３０の縦方向の長さ（ｌ＝１５ｃｍ）と横方向の長さ（ｗ＝１５ｃｍ）とを入れ替えることで、同様に算出することができる。
【００３８】
次に、楽曲データが２つの評価項目に基づいて平面上に展開される楽曲マップにおける楽曲選択カーソルの移動動作について図１５を参照して詳細に説明する。
図１５は、本発明に係る携帯表示装置の実施の形態における楽曲マップ画面での楽曲選択カーソルの移動動作を説明するためのフローチャートである。
【００３９】
表示制御部１２は、中央制御部１４の制御に基づいて、楽曲マップ画面３２を画面記憶部１１から読み出して表示部３に表示すると（ステップＡ１）、表示部３に楽曲マップ画面３２を表示したことを示す操作画面特定情報をカーソル制御部１３に通知する（ステップＡ２）。
【００４０】
次に、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出し（ステップＡ３）、算出した回転角θｘ、θｙを合成することで、携帯表示装置１がどの向きに傾けられたかを示す角度θａと、携帯表示装置１の傾斜角の大きさを示す長さｒとで表される姿勢ベクトルＲを算出する（ステップＡ４）。
【００４１】
次に、カーソル制御部１３は、セル情報記憶部９に記憶されているセル情報に基づいて、座標変換部８から入力される姿勢ベクトルＲに対応するカレントセルを特定すると共に（ステップＡ５）、変換テーブル記憶部１０に記憶されている変換テーブルを用いて特定したカレントセルに関連づけられた移動量および速度を特定し（ステップＡ６）、姿勢ベクトルＲの方向に特定した移動量および速度で楽曲選択カーソル３３を移動させる（ステップＡ７）。なお、図６には、座標変換部８で算出された姿勢ベクトルＲによってセルＳ２がカレントセルとして特定された状態が示されており、この場合には、図７に示す変換テーブルによって楽曲選択カーソル３３の移動量および速度がそれぞれＬ２、Ａ２に特定される。
【００４２】
次に、カーソル制御部１３は、操作キー４が押下されたか否かを判断し（ステップＡ８）、操作キー４が押下された場合には、楽曲選択カーソル３３内に含まれる楽曲データを中央制御部１４に通知し、中央制御部１４は、音声出力部１６を制御することで、カーソル制御部１３から通知された楽曲データの再生を実行し（ステップＡ９）、楽曲選択カーソルの移動動作を終了する。
【００４３】
また、ステップＡ８で操作キー４が押下されない場合には、ステップＡ３に戻り、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出する。
【００４４】
次に、複数の指示キーが配列されているキー配列画面におけるキー選択カーソルの移動動作について図１６を参照して詳細に説明する。
図１６は、本発明に係る携帯表示装置の実施の形態におけるキー配列画面でのキー選択カーソルの移動動作を説明するためのフローチャートである。
【００４５】
表示制御部１２は、中央制御部１４の制御に基づいて、キー配列画面３４を画面記憶部１１から読み出して表示部３に表示すると（ステップＢ１）、表示部３にキー配列画面３４を表示したことを示す操作画面特定情報をカーソル制御部１３に通知する（ステップＢ２）。
【００４６】
次に、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出し（ステップＢ３）、算出した回転角θｘ、θｙを合成することで、携帯表示装置１がどの向きに傾けられたかを示す角度θａと、携帯表示装置１の傾斜角の大きさを示す長さｒとで表される姿勢ベクトルＲを算出する（ステップＢ４）。
【００４７】
次に、カーソル制御部１３は、セル情報記憶部９に記憶されているセル情報に基づいて、座標変換部８から入力される姿勢ベクトルＲに対応するカレントセルを特定すると共に（ステップＢ５）、変換テーブル記憶部１０に記憶されている変換テーブルを用いて特定したカレントセルに関連づけられた移動量および速度を特定し（ステップＢ６）、姿勢ベクトルＲの方向に特定した移動量および速度でキー選択カーソル３５を移動させ（ステップＢ７）、キー選択カーソル３５が位置する指示キーＫｍを選択する（ステップＢ８）。なお、キー配列画面３４において、各指示キーＫｍには、それぞれに対応する指示キー領域３６が設定されており、指示キー領域３６は、互いに隣接するように設定される。キー選択カーソル３５は、各指示キーＫｍに対応する指示キー領域３６のいずれかに位置することになり、キー選択カーソル３５が位置する指示キー領域３６に対応する指示キーＫｍを選択されることになる。従って、図１６に示すように、指示キーＫ２３がキー選択カーソル３５によって選択された状態から、指示キーＫ５が選択される状態に移行させたい場合には、図１６に波線矢印で示す指示キーＫ２３から指示キーＫ５の方向に携帯表示装置１を傾けることにより、キー選択カーソル３５を指示キーＫ２３から指示キーＫ５に向けた直線上を最短距離で移動させることができ、短時間で指示キーＫ５を選択することが可能になる。
【００４８】
次に、カーソル制御部１３は、操作キー４が押下されたか否かを判断し（ステップＢ９）、操作キー４が押下された場合には、キー選択カーソル３５によって選択された指示キーＫｍに割り当てられた操作を中央制御部１４に通知し、中央制御部１４は、カーソル制御部１３から通知される操作を、表示制御部１２および音声出力部１６を制御することで実行する（ステップＢ１０）。
【００４９】
また、ステップＢ９で操作キー４が押下されない場合には、ステップＢ３に戻り、座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出する。
【００５０】
次に、表示エリア３０の決定方法について図１７を参照して詳細に説明する。
図１７は、本発明に係る操作装置の実施の形態における表示エリア３０の決定方法を説明するためのフローチャートである。
【００５１】
座標変換部８は、傾斜角検出部６から出力され、ＡＤ変換部７によってデジタル信号に変換された姿勢情報の姿勢信号に基づいてＸ軸、Ｙ軸の回転角θｘ、θｙをそれぞれ算出し（ステップＣ１）、算出した回転角θｘ、θｙを表示制御部１２に出力する。
【００５２】
表示制御部１２は、入力された回転角θｘ、θｙに基づいて予め設定されている基準面（回転角θｘｓ、θｙｓ）からの携帯表示装置１の回転角θｘ−ｘｓ、θｙ−ｙｓを算出し（ステップＣ２）、ピット方向の回転角θｘ−ｘｓの絶対値とロール方向の回転角θｙ−ｙｓの絶対値とを比較し（ステップＣ３）、ピット方向の回転角θｘ−ｘｓの絶対値とロール方向の回転角θｙ−ｙｓの絶対値との大小を判断する（ステップＣ４）。
【００５３】
表示制御部１２は、ピット方向の回転角θｘ−ｘｓの絶対値がロール方向の回転角θｙ−ｙｓの絶対値よりも大きい場合には、算出した回転角θｘ−ｘｓに基づいて歪み量記憶部１７に記憶されたピッチ方向回転用歪み量情報を参照することで表示エリア３０を決定し（ステップＣ５）、ロール方向の回転角θｙ−ｙｓの絶対値がピット方向の回転角θｘ−ｘｓの絶対値よりも大きい場合には、算出したθｙ−ｙｓに基づいて歪み量記憶部１７に記憶されたロール方向回転用歪み量情報を参照することで表示エリア３０を決定する。（ステップＣ６）
【００５４】
図１１に示すように、ピッチ方向回転用歪み量情報には、回転角θｘ−ｘｓに応じた表示エリア３０の上辺ｕの長さｗ’が示されており、ロール方向回転用歪み量情報には、回転角θｙ−ｙｓに応じた表示エリア３０の右辺の長さｌ’が示されている。
【００５５】
従って、表示制御部１２は、ピット方向の回転角θｘ−ｘｓの絶対値がロール方向の回転角θｙ−ｙｓの絶対値よりも大きい場合には、回転角θｘ−ｘｓに基づいてピッチ方向回転用歪み量情報を参照することで、表示エリア３０の上辺ｕの長さｗ’を特定し、図８（ｂ）に示すように、上辺ｕの長さがｗ’で且つ表示部３の縦方向のセンターラインＣＬでの長さがｗの台形に表示エリア３０の形状を決定する。
【００５６】
従って、表示制御部１２は、ロール方向の回転角θｙ−ｙｓの絶対値がピット方向の回転角θｘ−ｘｓの絶対値よりも大きい場合には、回転角θｙ−ｙｓに基づいてロール方向回転用歪み量情報を参照することで、表示エリア３０の右辺の長さｌ’を特定し、図８（ｃ）に示すように、右辺の長さがｌ’で且つ表示部３の横方向のセンターラインＣＷでの長さがｌの台形に表示エリア３０の形状を決定する。
【００５７】
なお、本実施の形態では、処理時間短縮のために歪み量記憶部１７に予め歪み量情報を記憶させるようにしたが、上述した数式１を用いて表示エリア３０の上辺ｕの長さｗ’および右辺の長さｌ’を算出するようにしても良く、この場合には、基準面（回転角θｘｓ、θｙｓ）からの携帯表示装置１の回転角θｘ−ｘｓ、θｙ−ｙｓに基づいて表示エリア３０の形状を連続的に補正することができる。また、本実施の形態では、表示エリア３０の上辺ｕおよび右辺を基準にして表示エリア３０の形状を補正するように構成したが、横方向の長さｗおよび縦方向の長さｌを任意に変更することで表示エリア３０上のいかなる位置に置いても同様に対応することが可能になる。
【００５８】
次に、表示制御部１２は、ステップＣ５もしくはステップＣ６で決定した表示エリア３０に合わせて操作画面（楽曲マップ画面３２、キー配列画面３４等）を歪ませて、すなわちピッチ方向に回転させた場合には、視点から遠ざかった上辺もしくは下辺側を幅方向のセンターラインＣＬから漸次横方向に拡大させると共に、近づいた下辺もしくは上辺側を幅方向のセンターラインＣＬから漸次横方向に縮小させ、ロール方向に回転させた場合には、視点から遠ざかった右辺もしくは左辺側を縦方向のセンターラインＣＷから漸次縦方向に拡大させると共に、近づいた左辺もしくは右辺側を縦方向のセンターラインＣＷから漸次縦方向に縮小させる（ステップＣ７）。
【００５９】
なお、本実施の形態では、ピッチ方向もしくはロール方向のいずれかの回転角に基づいて表示エリア３０の形状を決定するように構成したが、ピッチ方向およびロール方向の回転角基づいて表示エリア３０の形状を決定するように構成しても良い。この場合には、まず、ピッチ方向もしくはロール方向のいずれかの回転角に基づいて表示エリア３０の形状を決定し、さらに補正した表示エリア３０の形状（横方向の長さがｗ’もしくは縦方向の長さがｌ’に補正された形状）から他方のロール方向もしくはピッチ方向のいずれかの回転角に基づいて表示エリア３０の形状を決定すると良い。
【００６０】
以上説明したように、本実施の形態によれば、傾斜角検出部６によって携帯表示装置１の傾きを検出して姿勢信号を出力し、表示制御部１２によって姿勢信号に基づいて算出される予め定められた基準面からの携帯表示装置１の回転角度に基づいて、表示部３における操作画面が表示される表示エリアの形状を補正させるように構成することにより、姿勢信号に基づいて表示エリアの形状を画面端部の視野角を保つように補正することができるため、携帯表示装置１を傾斜させても、画面端部の視野角を保つことができ、良好な視認性を維持することができるという効果を奏する。
【００６１】
さらに、本発明の携帯表示装置は、表示制御部１２によって基準面に携帯表示装置１が保持されている場合の操作画面の視野角が維持されるように表示エリアの形状を補正させるように構成することにより、携帯表示装置１を傾斜させても、あたかも基準面に携帯表示装置１が保持されている状態で操作画面を表示されているように見せることができるため、画面端部の視野角を保つことができ、良好な視認性を維持することができるという効果を奏する。
【００６２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００６３】
【図１】本発明に係る操作装置の実施の形態の外観構成を示す斜視図である。
【図２】図１に示す操作装置の構成を示すブロック図である。
【図３】図１に示す操作装置の使用状態を説明するための説明図である。
【図４】図２に示す傾斜角検出部の出力例を示す図である。
【図５】図２に示す座標変換部における姿勢ベクトルの算出方法を説明する説明図である。
【図６】図２に示すセル情報記憶部に記憶されているセル情報例を示す図である。
【図７】図２に示す変換テーブル記憶部に記憶されている変換テーブル例を示す図である。
【図８】図２に示す表示部における表示エリア例を示す図である。
【図９】図２に示す画面記憶部に記憶されている楽曲マップ画面例を示す図である。
【図１０】図２に示す画面記憶部に記憶されているキー配列画面例を示す図である。
【図１１】図２に示す歪み記憶部に記憶されている歪み情報例を示す図である。
【図１２】図２に示す歪み記憶部に記憶されている歪み情報の算出方法を説明するための説明図である。
【図１３】図２に示す歪み記憶部に記憶されている歪み情報の算出方法を説明するための説明図である。
【図１４】図２に示す歪み記憶部に記憶されている歪み情報の算出方法を説明するための説明図である。
【図１５】本発明に係る操作装置の実施の形態における楽曲マップ画面での楽曲選択カーソルの移動動作を説明するためのフローチャートである。
【図１６】本発明に係る操作装置の実施の形態におけるキー配列画面でのキー選択カーソルの移動動作を説明するためのフローチャートである。
【図１７】本発明に係る操作装置の実施の形態における表示エリア決定方法を説明するためのフローチャートである。
【符号の説明】
【００６４】
１  携帯表示装置
２  筐体
３  表示部
４  操作キー
６  傾斜角検出部
７  ＡＤ変換部
８  座標変換部
９  セル情報記憶部
１０  変換テーブル記憶部
１１  画面記憶部
１２  表示制御部
１３  カーソル制御部
１４  中央制御部
１５  データベース
１６  音声出力部
３０  表示エリア
３１  楽曲マップ
３２  楽曲マップ画面
３３  楽曲選択カーソル
３４  キー配列画面
３５  キー選択カーソル
３６  指示キー領域
【図１】
2007114242.tif 000004
【図２】
2007114242.tif 000005
【図３】
2007114242.tif 000006
【図４】
2007114242.tif 000007
【図５】
2007114242.tif 000008
【図６】
2007114242.tif 000009
【図７】
2007114242.tif 000010
【図８】
2007114242.tif 000011
【図９】
2007114242.tif 000012
【図１０】
2007114242.tif 000013
【図１１】
2007114242.tif 000014
【図１２】
2007114242.tif 000015
【図１３】
2007114242.tif 000016
【図１４】
2007114242.tif 000017
【図１５】
2007114242.tif 000018
【図１６】
2007114242.tif 000019
【図１７】
2007114242.tif 000020